(57)【要約】【課題】曲面ディスプレイにおいて、各基板における画素領域の位置関係のずれに起因する表示品位への悪影響を低減する。【解決手段】表示面が湾曲した状態で表示を行う液晶表示パネル１では、各基板１０・２０にはカラーフィルタ４２や絵素電極５１によって複数の画素領域が規定されている。湾曲の内側となる基板１０における画素領域の湾曲方向ピッチＰ１を、湾曲の外側となる基板２０における画素領域の湾曲方向ピッチＰ２よりも小さくすることにより、各基板１０・２０における画素領域の湾曲方向ピッチを同一にした場合と比して、各基板１０・２０間での画素領域のずれが小さくなっている。【選択図】図５
2007333818.tif 000002
【特許請求の範囲】
【請求項１】
互いに対向するように配置された一対の基板を備え、この一対の基板が湾曲することにより表示面が湾曲した状態で表示を行う表示パネルにおいて、
前記各基板には複数の画素領域が規定されており、
湾曲の内側となる基板における画素領域の湾曲方向ピッチを、湾曲の外側となる基板における画素領域の湾曲方向ピッチよりも、少なくとも部分的に小さくすることにより、各基板における画素領域の湾曲方向ピッチを同一にした場合と比して各基板間での画素領域のずれが小さくなっていることを特徴とする表示パネル。
【請求項２】
前記一対の基板の一方における各画素領域には、カラーフィルタが配置されており、
前記一対の基板の他方における各画素領域には、各画素の表示を個別に制御するための画素電極が配置されていることを特徴とする請求項１に記載の表示パネル。
【請求項３】
前記一対の基板の一方における各画素領域は、ブラックマトリクスによって区画されており、
前記一対の基板の他方における各画素領域には、各画素の表示を個別に制御するための画素電極が配置されていることを特徴とする請求項１に記載の表示パネル。
【請求項４】
湾曲の内側となる基板における画素領域の湾曲方向ピッチを、湾曲の外側となる基板における画素領域の湾曲方向ピッチよりも小さくする度合は、パネル全面において一定であることを特徴とする請求項１から３の何れか１項に記載の表示パネル。
【発明の詳細な説明】
【技術分野】
【０００１】
本発明は、互いに対向するように配置された一対の基板を備え、この一対の基板が湾曲することにより表示面が湾曲した状態で表示を行う表示パネルに関するものである。
【背景技術】
【０００２】
近年、曲面形状の表示面を有し、曲面表示を実現し得る表示装置（曲面ディスプレイ）の開発が進められている。
【０００３】
例えば、特許文献１に開示された曲面ディスプレイとしての液晶表示装置は、透明導電膜を有する２枚の基板間に液晶を挟持してなる液晶セルを備えた構成において、一方の基板を、高分子材料からなり曲げ弾力性を有する厚さ０．２〜１ｍｍの板状体より構成し、他方の基板を、高分子材料からなり厚さ０．１５ｍｍ以下の可撓性フィルムより構成し、これにより、セル加工時におけるたわみや折れ曲がりの発生を少なくしている。
【０００４】
一方、特許文献２には、曲面表示を目的とするものではないが、セル厚が均一で、かつ、外部からの圧力に強い液晶パネルを実現することを目的として、パネル面を湾曲させる構成が開示されている。
【０００５】
そして、特許文献２には、上記のようにパネル面を湾曲させるための手法として、パネルを構成する上下基板を湾曲させた状態で接着剤によって互いに接着する手法が開示されている。
【特許文献１】特開平３−１５７６２０号公報（公開日１９９１年７月５日）
【特許文献２】特開平１−１６６０１８号公報（公開日１９８９年６月２９日）
【発明の開示】
【発明が解決しようとする課題】
【０００６】
曲面ディスプレイを製造するにあたっては、パネル面を湾曲させるために、上記特許文献２に開示された手法、すなわち、１対の基板を湾曲させた状態で接着剤によって互いに接着するという手法を採用することが考えられる。
【０００７】
しかしながら、この手法を採用して曲面ディスプレイを構成すると、パネル端部において混色ムラが発生するという問題を招来する。その理由は次のとおりである。
【０００８】
一般に、曲面ディスプレイを含む液晶表示装置のパネルでは、上記１対の基板のうちの一方は、画素に対応するように配置された多数の薄膜トランジスタ（以下「ＴＦＴ」と称する。）、及び各ＴＦＴにそれぞれ対応して配置される多数の画素電極を搭載するＴＦＴ基板であり、他方は、画素に対応するように配置されたＲ（赤）Ｇ（緑）Ｂ（青）の各カラーフィルタを搭載するＣＦ基板である。そして、それぞれの基板上における上記画素電極の配置間隔（ピッチ）と、上記カラーフィルタのピッチとは一致している。
【０００９】
そうすると、各基板を平面状態にして互いに対向させた場合には、パネル全面において画素電極とカラーフィルタとの位置関係を一致させることができる。
【００１０】
ところが、各基板を湾曲させて互いに対向させた場合には、各基板間の隙間（セルギャップ）による曲率半径の相違により、例えば、パネル中央付近において画素電極とカラーフィルタとの位置関係を一致させると、パネル端部付近ではこれらの位置関係が基板の面方向にずれてしまうことになる。
【００１１】
このことを図示すると、図１０（ａ）及び図１０（ｂ）のようになる。ここで、図１０（ａ）はパネル中央付近の断面を示し、図１０（ｂ）はパネル端部付近の断面を示している。
【００１２】
図１０（ａ）に示すように、パネル中央付近では、ＴＦＴ基板１１０上の画素電極１１１と、ＣＦ基板１２０上のＲＧＢ各色のカラーフィルタ１２１ｒ・１２１ｇ・１２１ｂとは、各基板１１０・１２０の法線方向に重畳するような位置関係となる。
【００１３】
一方、図１０（ｂ）に示すように、パネル端部付近では、画素電極１１１とカラーフィルタ１２１ｒ・１２１ｇ・１２１ｂとは、矢印ｄで示す方向にずれている。
【００１４】
このような位置関係のずれは、混色ムラを発生することになる。つまり、図１０（ｂ）における例えば矢印Ｌに沿って透過する光は、本来、緑のカラーフィルタ１２１ｇを透過すべき光であるにもかかわらず、上記ずれの影響によって実際には赤のカラーフィルタ１２１ｒを透過してしまうことになる。
【００１５】
なお、上記説明では、主に画素電極１１１とカラーフィルタ１２１ｒ・１２１ｇ・１２１ｂとの位置関係に注目し、混色ムラの発生に関して述べたが、画素電極１１１とブラックマトリクス１２２との位置関係に注目することにより、上記位置関係のずれが光漏れの問題を招来することは容易に理解できる。
【００１６】
さらに、ブラックマトリクス１２２の幅を拡げることにより上記問題を解消しようとすると、開口率の低下を招来することになる。
【００１７】
このような混色ムラ、光漏れ、開口率の低下は、表示品位の低下を招来することは明らかである。
【００１８】
一方、１対の基板を湾曲させた状態で接着するのではなく、平面状態で接着した後に湾曲させるという手法も考えられる。
【００１９】
しかしながら、この手法を採用した場合には、上記のような混色ムラは発生しないとしても、上記曲率半径の相違を吸収するためにセルギャップのムラを発生することになるので、結局、表示品位の低下は免れない。
【００２０】
本発明は、上記の問題点に鑑みてなされたものであり、その目的は、互いに対向するように配置された一対の基板を備え、この一対の基板が湾曲することにより表示面が湾曲した状態で表示を行う表示パネルにおいて、各基板における画素領域の位置関係のずれに起因する表示品位への悪影響を低減することにある。
【課題を解決するための手段】
【００２１】
本発明に係る表示パネルは、互いに対向するように配置された一対の基板を備え、この一対の基板が湾曲することにより表示面が湾曲した状態で表示を行う表示パネルであって、上記課題を解決するために、前記各基板には複数の画素領域が規定されており、湾曲の内側となる基板における画素領域の湾曲方向ピッチを、湾曲の外側となる基板における画素領域の湾曲方向ピッチよりも、少なくとも部分的に小さくすることにより、各基板における画素領域の湾曲方向ピッチを同一にした場合と比して各基板間での画素領域のずれが小さくなっていることを特徴としている。
【００２２】
一対の基板が湾曲することにより表示面が湾曲した状態で表示を行う表示パネルにおいては、従来、平面表示を行う表示パネルと同じく、各基板における画素領域のピッチは同一であった。
【００２３】
しかしながら、各基板における画素領域のピッチが同一であると、各基板間の隙間（セルギャップ）による曲率半径の相違により、例えば、パネル中央付近において各画素領域の位置関係を一致させると、パネル端部付近ではこれらの位置関係が基板の面方向にずれてしまうことになる。このようなずれは、表示品位に悪影響を及ぼし得る。
【００２４】
そこで、上記構成では、湾曲の内側となる基板における画素領域の湾曲方向ピッチを、湾曲の外側となる基板における画素領域の湾曲方向ピッチよりも、少なくとも部分的に小さくすることにより、各基板における画素領域の湾曲方向ピッチを同一にした場合と比して各基板間での画素領域のずれが小さくなっている。
【００２５】
ここで、「湾曲方向」とは、湾曲した表示面と、この表示面の任意の位置における法線方向を含む平面との交線（曲線）に沿う方向を意味する。
【００２６】
これにより、従来のような基板間での画素領域の位置関係のずれを低減することができる。したがって、上記位置関係のずれに起因する表示品位への悪影響を低減することができる。
【００２７】
なお、湾曲の内側となる基板における画素領域の湾曲方向ピッチを、湾曲の外側となる基板における画素領域の湾曲方向ピッチよりも小さくする範囲としては、表示パネルの全面であってもよいし、上記位置関係のずれが顕著になりやすい部位（例えば、表示パネルの湾曲の両端部）のみに止めてもよい。
【００２８】
また、湾曲の内側となる基板における画素領域の湾曲方向ピッチを、湾曲の外側となる基板における画素領域の湾曲方向ピッチよりも小さくする度合としては、表示パネルの全面において一律同一度合としてもよいし、上記位置関係のずれが顕著になりやすい部位ほど度合が大きくなるようにしてもよい。
【００２９】
本発明に係る表示パネルは、上記表示パネルにおいて、前記一対の基板の一方における各画素領域には、カラーフィルタが配置されており、前記一対の基板の他方における各画素領域には、各画素の表示を個別に制御するための画素電極が配置されている構成であってもよい。
【００３０】
一方の基板における各画素領域にカラーフィルタが配置され、他方の基板における各画素領域に画素電極が配置されている構成では、上記位置関係のずれは混色ムラを招来し得る。
【００３１】
これに対して、上記位置関係のずれを低減することができる上述した構成を採用することにより、混色ムラの発生を防止あるいは低減することができる。
【００３２】
本発明に係る表示パネルは、上記表示パネルにおいて、前記一対の基板の一方における各画素領域は、ブラックマトリクスによって区画されており、前記一対の基板の他方における各画素領域には、各画素の表示を個別に制御するための画素電極が配置されている構成であってもよい。
【００３３】
一方の基板における各画素領域にカラーフィルタが配置され、他方の基板における各画素領域に画素電極が配置されている構成では、上記位置関係のずれは光漏れを招来し得る。
【００３４】
これに対して、上記位置関係のずれを低減することができる上述した構成を採用することにより、光漏れの発生を防止あるいは低減することができる。
【００３５】
本発明に係る表示パネルは、上記表示パネルにおいて、湾曲の内側となる基板における画素領域の湾曲方向ピッチを、湾曲の外側となる基板における画素領域の湾曲方向ピッチよりも小さくする度合は、パネル全面において一定である構成であってもよい。
【００３６】
表示面の湾曲の曲率がパネル全面において一定である場合には、特に上記構成が好適である。
【発明の効果】
【００３７】
以上のように、本発明に係る表示パネルは、各基板には複数の画素領域が規定されており、湾曲の内側となる基板における画素領域の湾曲方向ピッチを、湾曲の外側となる基板における画素領域の湾曲方向ピッチよりも、少なくとも部分的に小さくすることにより、各基板における画素領域の湾曲方向ピッチを同一にした場合と比して各基板間での画素領域のずれが小さくなっている構成である。
【００３８】
これにより、従来のような基板間での画素領域の位置関係のずれを低減することができる。したがって、上記位置関係のずれに起因する表示品位への悪影響を低減することができるという効果を奏する。
【発明を実施するための最良の形態】
【００３９】
本発明の実施の一形態について、図１から図９に基づいて説明すると以下の通りである。本実施形態では、表示面が湾曲している曲面ディスプレイについて説明する。
【００４０】
本実施形態の曲面ディスプレイは、図１に示すように、行列状に配置された多数の画素１ａを有する液晶表示パネル１と、この液晶表示パネル１を駆動するソースドライバ２及びゲートドライバ３と、これらソースドライバ２及びゲートドライバ３に対して各種信号を送ることによりこれらを制御するコントローラ４とを備えた液晶表示装置によって構成されている。
【００４１】
なお、上記ソースドライバ２、ゲートドライバ３及びコントローラ４については、従来周知のものを用いることができるので、ここではこれらの説明を省略する。
【００４２】
図２及び図３に基づいて、液晶表示パネル１の構成について説明する。ここで、図２は液晶表示パネル１の平面図であり、図３は図２におけるＡ−Ａ線矢視断面図である。なお、図２では、図面の簡略化のために一部の構成部材については図示を省略している。
【００４３】
液晶表示パネル１は、互いに対向する対向基板１０及びアクティブマトリクス基板２０と、これらによって挟持された液晶層３０とを備えている。
【００４４】
対向基板１０は、基板本体１０ａの液晶層３０側に形成されたブラックマトリクス４１及びカラーフィルタ（色層）４２と、これらのさらに液晶層３０側に形成された共通電極１１とを有している。
【００４５】
なお、図２及び図３では、灰色の塗りつぶしによりブラックマトリクス４１を、縦・斜め・横のハッチング部分によりＲＧＢ各色のカラーフィルタ４２ｒ・４２ｇ・４２ｂを示している。
【００４６】
これらブラックマトリクス４１及びカラーフィルタ４２は、対向基板１０における基板本体１０ａと共通電極１１との間に介在する層として形成されている。
【００４７】
ブラックマトリクス４１は、後述する各画素電極５１の間隙における光漏れを防止するためのものである。また、ブラックマトリクス４１は、反射率の高い金属等からなるソースライン２１ｓ、ゲートライン２１ｇによって外光が反射されることを防止するためのものでもある。さらに、ブラックマトリクス４１は、ＴＦＴ５２へ外光が入射することによってＴＦＴ５２においてオフリーク電流が増加することを防止するためのものである。そのために、ブラックマトリクス４１は、各画素電極５１の間隙と、ＴＦＴ５２形成領域に形成されている。
【００４８】
カラーフィルタ４２は、ブラックマトリクス４１が形成されている領域以外の領域、すなわち、アクティブマトリクス基板２０において画素電極５１が形成されている領域のうち、ＴＦＴ５２形成領域を除いた領域に形成されている。そして、ブラックマトリクス４１により区画され、カラーフィルタ４２が形成された多数の領域がそれぞれ画素領域となる。
【００４９】
共通電極１１は、対向基板１０のほぼ全面に形成されており、各画素について共通の対向電極をなしている。
【００５０】
アクティブマトリクス基板２０は、液晶表示パネル１の縦方向（以下、単に「縦方向」という。）に延び、互いに平行に配置された多数のソースライン２１ｓと、液晶表示パネル１の横方向（以下、単に「横方向」という。）に延び、互いに平行に配置された多数のゲートライン２１ｇとを、基板本体２０ａの液晶層３０側の面に有している。これらソースライン２１ｓ及びゲートライン２１ｇによって区切られた多数の領域がそれぞれ画素領域となる。
【００５１】
画素１ａは、ＲＧＢ各色のカラーフィルタ４２ｒ・４２ｇ・４２ｂに対応して、ＲＧＢ各色の光をそれぞれ制御する画素１ｒ・１ｇ・１ｂに分類される。各色画素１ｒ・１ｇ・１ｂは横方向には順次繰り返し配置され、縦方向には同一色が並ぶように配置されている。
【００５２】
アクティブマトリクス基板２０における各画素１ａの構成について説明する。各画素１ａは、透明導電体からなる画素電極５１と、ゲートライン２１ｇによって伝達されるゲート信号に基づいて、ソースライン２１ｓと画素電極５１との間をスイッチングする薄膜トランジスタ（以下「ＴＦＴ」という。）５２とを備えている。
【００５３】
画素電極５１は、画素領域のほぼ全体を覆うように形成されている。そして、画素電極５１は、ソースライン２１ｓによって伝達されるソース信号に応じた電位差を共通電極１１との間に生じさせることにより、液晶層３０における当該画素電極５１に対応する領域の液晶の配向を制御する。これにより、対向基板１０及びアクティブマトリクス基板２０それぞれの外表面に配置される図示しない偏光板との作用により、透過する光の量を画素ごとに個別に制御する。
【００５４】
ＴＦＴ５２は、ソースライン２１ｓとゲートライン２１ｇとの交差部分近傍において、画素電極５１の下方の基板本体２０ａ表面に形成されている。ＴＦＴ５２は、ゲート電極５２ａ、ゲート絶縁膜５２ｂ、半導体層５２ｃ、ｎ＋層５２ｄ、ソース電極５２ｅ、ドレイン電極５２ｆ、保護膜５２ｇ、平坦化膜５２ｈを備えた従来周知の構成である。なお、ゲート電極５２ａはゲートライン２１ｇの一部として構成され、ソース電極５２ｅはソースライン２１ｓと接続され、ドレイン電極５２ｆは画素電極５１と接続されている。これらのうち、ゲート絶縁膜５２ｂ、保護膜５２ｇ及び平坦化膜５２ｈは、ＴＦＴ５２形成領域のみならず、アクティブマトリクス基板２０のほぼ全面を覆うように形成されている。なお、保護膜５２ｇ及び平坦化膜５２ｈにはコンタクトホール５２ｉが形成されており、このコンタクトホール５２ｉを介して画素電極５１とドレイン電極５２ｆとが接続されている。
【００５５】
なお、図３に示したアクティブマトリクス基板２０の構成は、ゲート電極５２ａが半導体層５２ｃの下層となるボトムゲート構造のものであるが、ゲート電極５２ａが半導体層５２ｃの上層となるトップゲート構造を採用してもよい。
【００５６】
本液晶表示パネル１は、上記対向基板１０の基板本体１０ａ、及びアクティブマトリクス基板２０の基板本体２０ａがそれぞれ約１ｍｍ以下の薄い樹脂材料、あるいはさらに薄いガラス材料から構成されており、可撓性を有している。これにより、液晶表示パネル１の表示面を湾曲させた状態において表示が可能となっている。
【００５７】
さらに、液晶表示パネル１は、所望とする湾曲状態を維持するために、図４に示すように、一対の固定フレーム１ｆ・１ｉによって固定されている。これら固定フレーム１ｆ・１ｉは、それぞれ液晶表示パネル１の上辺及び下辺が嵌り込むことにより、それぞれ上辺及び下辺に対して所定の曲率を持たせるための溝を有している。そして、固定フレーム１ｆ・１ｉの各溝に液晶表示パネル１のそれぞれ上辺及び下辺を嵌め込むことにより、液晶表示パネル１は所望の湾曲状態を維持することができる。上記曲率としては、液晶表示パネル１の用途等に応じて適宜設定すればよいが、例えば６００〜１２００ｍｍ程度の曲率半径とすることができる。
【００５８】
なお、上記説明では、液晶表示パネル１の上辺及び下辺を固定フレーム１ｆ・１ｉによって固定するようにしているが、四隅のみを固定するようにしてもよい。
【００５９】
また、上記説明では、表示面が、凹面となり、かつ、横方向に曲率をもつように湾曲させることを前提としているが、表示面が凸面となるように湾曲させてもよく、あるいは、表示面が縦方向に曲率をもつように湾曲させてもよい。
【００６０】
さらに、上記説明では、対向基板１０側が表示面となっているが、アクティブマトリクス基板２０側を表示面としてもよい。ただし、この構成では、反射率の高い金属等からなるソースライン２１ｓ、ゲートライン２１ｇ及びＴＦＴ５２によって外光が反射されることを防止するためには、別途遮光部材を追加する必要がある。
【００６１】
次に、液晶表示パネル１における画素領域の位置関係について、図５（ａ）及び図５（ｂ）に基づいて説明する。なお、図５（ａ）及び図５（ｂ）では、図面の簡略化のために一部の構成部材については図示を省略している。
【００６２】
上述したように、対向基板１０では、ブラックマトリクス４１により区画され、カラーフィルタ４２が形成された多数の領域がそれぞれ画素領域となり、アクティブマトリクス基板２０では、ソースライン２１ｓ及びゲートライン２１ｇによって区切られ、画素電極５１やＴＦＴ５２が配置された多数の領域がそれぞれ画素領域となる。
【００６３】
液晶表示パネル１では、図５（ａ）及び図５（ｂ）に示すように、液晶表示パネル１の湾曲の内側となる対向基板１０における画素領域の湾曲方向ピッチＰ１が、湾曲の外側となるアクティブマトリクス基板２０における画素領域の湾曲方向ピッチＰ２よりも小さく設定されている。そして、これら湾曲方向ピッチＰ１・Ｐ２は、これら湾曲方向ピッチＰ１・Ｐ２を同一にした構成（図１０（ａ）及び図１０（ｂ）参照）と比して、対向基板１０での画素領域とアクティブマトリクス基板２０での画素領域とのずれが小さくなるように設定されている。
【００６４】
ここで、「湾曲方向」とは、湾曲した表示面と、この表示面の任意の位置における法線方向を含む平面との交線（曲線）に沿う方向を意味する。この湾曲方向は、図４において両矢印方向Ｄによって示されているように、表示面のカーブに沿った方向となる。
【００６５】
これにより、対向基板１０での画素領域とアクティブマトリクス基板２０での画素領域との位置関係のずれを低減することができる。したがって、上記位置関係のずれに起因する表示品位への悪影響を低減することができる。
【００６６】
なお、図５（ｂ）では、これらの位置関係が一致している状態を図示しているが、必ずしも一致している必要はなく、上記位置関係のずれが小さくなっておればよい。液晶表示パネル１の表示面の曲率が一定であり、かつ、上記位置関係が一致している場合には、液晶表示パネル１の湾曲の曲率中心付近から液晶表示パネル１を観察する観察者に対して、特に好適な表示が可能である。
【００６７】
なお、湾曲方向ピッチＰ１を湾曲方向ピッチＰ２よりも小さくする範囲としては、液晶表示パネル１の全面であってもよいし、上記位置関係のずれが顕著になりやすい部位、例えば、液晶表示パネル１の湾曲の両端部のみに止めてもよい。
【００６８】
また、湾曲方向ピッチＰ１を湾曲方向ピッチＰ２よりも小さくする度合としては、液晶表示パネル１の全面において一律同一度合としてもよいし（図５（ａ）及び図５（ｂ）はこれに該当する。）、上記位置関係のずれが顕著になりやすい部位ほど度合が大きくなるようにしてもよい。なお、液晶表示パネル１の表示面の曲率が一定である場合には特に、上記度合を液晶表示パネル１の全面において同一とすることが望ましい。
【００６９】
次に、湾曲方向ピッチＰ１・Ｐ２の具体的な設定手法の一例について説明する。
【００７０】
ここでは、液晶表示パネル１として１５型（横方向寸法（長辺寸法）３６４．８ｍｍ）及び１８型（横方向寸法４４１．６ｍｍ）のパネルを想定し、湾曲の曲率半径として１２００，１０００，８００，６００ｍｍを想定する。なお、横方向画素数は何れも１６００×３（ＲＧＢに対応）＝４８００画素である。また、対向基板１０とアクティブマトリクス基板２０との隙間（セルギャップ）は３μｍである。
【００７１】
このような液晶表示パネル１では、対向基板１０の画素領域と、アクティブマトリクス基板２０の画素領域との位置関係のずれ（勘合ずれ）として許容される値としては、その液晶表示パネル１の特性（各部の寸法、要求される表示品位等）によって異なるが、例えば５μｍ未満と設定することができる。この場合には、５μｍ以上ずれると、混色ムラや光漏れの問題が発生し得る。なお、以下では、勘合ずれの許容値が５μｍ未満に設定されている液晶表示パネル１を前提として説明する。
【００７２】
従来のように、湾曲方向ピッチＰ１・Ｐ２を同一とした場合を考える。この場合に、液晶表示パネル１の横方向の座標（中心を０とする）に対する、湾曲に起因して生じる画素領域のずれ量の分布は、曲率半径及びセルギャップに基づいて幾何学的に算出することができ、図６及び図７のようになる。
【００７３】
なお、図６及び図７は、それぞれ１５型及び１８型の曲率半径１２００ｍｍの場合を示している。また、図６及び図７において、右上がりの線（一点鎖線）、左上がりの線（破線）及びＶ字型の線（実線）はそれぞれ液晶表示パネル１の左端、右端及び中央において画素領域を一致させた場合のずれ量の分布を示している。
【００７４】
図６及び図７に示すように、湾曲に起因して生じる画素領域のずれ量は、座標に対して比例するように変化する。このずれ量の分布に基づき、１画素当たりのずれ量ｄを算出するには、図６及び図７におけるずれ量の分布を示す線の１画素当たりの傾きを求めればよい。
【００７５】
例えば、１８型の液晶表示パネル１の左端において画素領域を一致させた場合、右端におけるずれ量は１．１μｍとなるので、この値を横方向の画素数４８００で除することにより、ｄ＝１．１μｍ／４８００画素＝０．２３ｎｍとなる。
【００７６】
このようにして求めた１画素当たりのずれ量ｄを用いて、Ｐ１＝Ｐ２−ｄの関係を満たすように湾曲方向ピッチＰ１・Ｐ２を設定することにより、液晶表示パネル１の表示面全面において画素領域のずれを解消することができる。
【００７７】
湾曲に起因して生じる画素領域のずれ量のうち、横方向の一方の端部を基準としたときの他方の端部に生じるずれ量は、図８に示すように、液晶表示パネル１のサイズ及び曲率半径に応じて０．９〜２．３μｍとなる。
【００７８】
このずれ量を上記勘合ずれの許容値５μｍから差し引くことにより、湾曲に起因しない誤差に対して許容される実際の許容ずれ量は、図８及び図９に示すように、４．１〜２．７μｍまで小さくなってしまう。そうすると、実際の製造工程では、許容ずれ量を逸脱して不良品となってしまう個体が増加することになり、製造歩留まりが低下することになる。
【００７９】
そこで、図８に示す１画素当たりのずれ量ｄを用いて、上述したように、Ｐ１＝Ｐ２−ｄの関係を満たすように湾曲方向ピッチＰ１・Ｐ２を設定することにより、液晶表示パネル１の表示面全面において画素領域のずれを解消することができる。
【００８０】
これにより、湾曲に起因しない誤差に対して許容される実際の許容ずれ量を、上記勘合ずれの許容値５μｍとすることができ、製造歩留まりの低下を抑制することができるようになる。
【００８１】
以上のように、従来、平面表示用の液晶表示パネルは、画素領域のピッチが対向基板１０とアクティブマトリクス基板２０との間で同一に設計されていたため、これをそのまま曲面化した場合には、対向基板１０とアクティブマトリクス基板２０との曲率半径が異なることに起因して、画素領域のずれが発生し、混色ムラや光漏れの問題を招来することになる。
【００８２】
これに対し、本実施形態の液晶表示パネル１では、対向基板１０とアクティブマトリクス基板２０との間で画素領域のピッチを異ならせることにより、画素領域のずれを低減し、混色ムラや光漏れを抑制することが可能になる。
【００８３】
なお、本実施形態では、カラー表示を行う液晶表示パネル１を前提としたが、モノクロ表示の表示パネルに対しても適用できる。すなわち、モノクロ表示の場合であっても、対向基板には光漏れ防止用のブラックマトリクスが配置され得るからである。
【００８４】
また、本実施形態では、液晶表示パネル１を前提として説明したが、本発明はこれに限らず、互いに対向するように配置された一対の基板を備え、この一対の基板が湾曲することにより表示面が湾曲した状態で表示を行う表示パネルであって、各基板に複数の画素領域が規定されているもの、例えば、プラズマディスプレイパネル（ＰＤＰ）、エレクトロルミネッセンス（ＥＬ）パネルなどの表示パネルに対しても適用できる。
【産業上の利用可能性】
【００８５】
本発明は、液晶表示パネル、プラズマディスプレイパネル（ＰＤＰ）、エレクトロルミネッセンス（ＥＬ）パネルなどに適用できる。
【図面の簡単な説明】
【００８６】
【図１】本発明の実施の一形態に係る曲面ディスプレイの構成を示すブロック図である。
【図２】図１の曲面ディスプレイを構成する液晶表示パネルの絵素の構成を示す平面図である。
【図３】図２におけるＡ−Ａ線矢視断面図である。
【図４】図１の曲面ディスプレイを構成する液晶表示パネルの湾曲状態を維持するため構成を示す図面である。
【図５】（ａ）は、図１の曲面ディスプレイにおける対向基板及びアクティブマトリクス基板の画素領域のピッチＰ１・Ｐ２の関係を示す断面図であり、（ｂ）は、図１の曲面ディスプレイにおいて画素領域のずれが解消できている状態を示す断面図である。
【図６】１５型の曲面ディスプレイの横方向座標に対する、画素領域のずれ量の分布を示すグラフである。
【図７】１８型の曲面ディスプレイの横方向座標に対する、画素領域のずれ量の分布を示すグラフである。
【図８】１５型及び１８型の曲面ディスプレイにおける、表示領域横方向寸法、曲率半径、湾曲に起因するずれ量、許容ずれ量、１画素当たりのずれ量の関係を示す図表である。
【図９】１５型及び１８型の曲面ディスプレイにおける、曲率半径と許容ずれ量との関係を示すグラフである。
【図１０】（ａ）は、対向基板及びアクティブマトリクス基板の画素領域のピッチＰ１・Ｐ２を同一としたときのパネル中央付近を示す断面図であり、（ｂ）は、パネル端部付近を示す断面図である。
【符号の説明】
【００８７】
１    液晶表示パネル
１０    対向基板
１１    共通電極
２０    アクティブマトリクス基板
３０    液晶層
４１    ブラックマトリクス
４２    カラーフィルタ
５１    絵素電極
５２    ＴＦＴ
【図１】
2007333818.tif 000003
【図２】
2007333818.tif 000004
【図３】
2007333818.tif 000005
【図４】
2007333818.tif 000006
【図５】
2007333818.tif 000007
【図６】
2007333818.tif 000008
【図７】
2007333818.tif 000009
【図８】
2007333818.tif 000010
【図９】
2007333818.tif 000011
【図１０】
2007333818.tif 000012